(57)【要約】【課題】  適用する表示装置に依ることなく、精度良く指示体を検出することができるタッチパネルシステムや、当該タッチパネルシステムを備えた電子情報機器、当該タッチパネルシステムの製造方法を提供する。【解決手段】  タッチパネルシステム１は、表示装置Ｘの表示面上に設けられ表面上の指示体に対応した応答信号を出力するタッチパネル１０と、タッチパネル１０を駆動してタッチパネル１０から出力される応答信号Ｓｓを取得するタッチパネルコントローラ２０と、駆動開始タイミングパラメータＰを記憶する記憶部５０と、を備える。表示装置Ｘは、所定の周期で信号レベルが所定の変化をする基準信号Ｈに同期して動作し、タッチパネルコントローラ２０は、基準信号Ｈの信号レベルが所定の変化をした後、駆動開始タイミングパラメータＰに対応した期間が経過したタイミングで、タッチパネル１０を駆動する。【選択図】  図１
2013206206.tif 000002
【特許請求の範囲】
【請求項１】
表示装置の表示面上に設けられ、表面上に接触または近接する指示体の有無及び当該指示体の位置に対応した応答信号を出力するタッチパネルと、
前記タッチパネルを駆動して、前記タッチパネルから出力される前記応答信号を取得するタッチパネルコントローラと、
駆動開始タイミングパラメータを記憶する記憶部と、を備え、
前記表示装置は、所定の周期で信号レベルが所定の変化をする基準信号に同期して動作し、
前記タッチパネルコントローラは、前記基準信号の信号レベルが所定の変化をした後、前記駆動開始タイミングパラメータに対応した期間が経過したタイミングで、前記タッチパネルを駆動することを特徴とするタッチパネルシステム。
【請求項２】
前記タッチパネルコントローラが前記応答信号を取得するタイミングが、前記基準信号の信号レベルが所定の変化をしてから次に所定の変化をするまでの間であり前記表示装置が発生するノイズのレベルが相対的に小さい期間に該当するように、前記駆動開始タイミングパラメータが決定されていることを特徴とする請求項１に記載のタッチパネルシステム。
【請求項３】
前記タッチパネルコントローラが、
前記タッチパネルに駆動信号を与えて駆動し、前記タッチパネルに前記応答信号を出力させる送信部と、
前記応答信号を取得する受信部と、
前記送信部及び前記受信部の動作を制御する送受信制御部と、を備え、
前記送受信制御部は、前記送信部が前記駆動信号を前記タッチパネルに与えるタイミングと、前記受信部が前記応答信号を取得するタイミングと、をそれぞれ制御することを特徴とする請求項１または２に記載のタッチパネルシステム。
【請求項４】
前記基準信号の信号レベルが所定の変化をした後、前記駆動開始タイミングパラメータに対応した期間が経過したタイミングで、前記送信部が前記駆動信号を前記タッチパネルに与えるように、前記送受信制御部が前記送信部を制御し、
前記基準信号の信号レベルが所定の変化をして、前記駆動開始タイミングパラメータに対応した期間が経過した後、さらに所定期間が経過したタイミングで、前記受信部が前記応答信号を取得するように、前記送受信制御部が前記受信部を制御することを特徴とする請求項３に記載のタッチパネルシステム。
【請求項５】
前記基準信号と前記駆動開始タイミングパラメータとに基づいて生成する駆動開始信号を、前記送受信制御部に与える駆動開始信号生成部を、さらに備え、
前記駆動開始信号生成部は、前記基準信号の信号レベルが所定の変化をした後、前記駆動開始タイミングパラメータに対応した期間が経過したタイミングで信号レベルが所定の変化をする前記駆動開始信号を生成し、
前記送受信制御部は、
前記駆動開始信号の信号レベルが所定の変化をするタイミングで、前記駆動信号を前記タッチパネルに与えるように前記送信部を制御し、
前記駆動開始信号の信号レベルが所定の変化をした後、前記所定期間が経過したタイミングで、前記応答信号を取得するように前記受信部を制御することを特徴とする請求項４に記載のタッチパネルシステム。
【請求項６】
前記駆動開始タイミングパラメータを決定して前記記憶部に記憶させる駆動タイミング決定部を、さらに備え、
前記駆動タイミング決定部は、
前記タッチパネルコントローラが、前記基準信号の信号レベルが所定の変化をするタイミングを基準とした異なる複数のタイミングで前記タッチパネルを駆動することで取得する、それぞれの前記応答信号に含まれる、ノイズのレベルを算出し、
前記タッチパネルコントローラが前記応答信号を取得するタイミングが、前記基準信号の信号レベルが所定の変化をしてから次に所定の変化をするまでの間であり当該ノイズのレベルが相対的に小さい期間に該当するように、前記駆動開始タイミングパラメータを決定して前記記憶部に記憶させることを特徴とする請求項１〜５のいずれか１項に記載のタッチパネルシステム。
【請求項７】
前記基準信号が、水平同期信号であることを特徴とする請求項１〜６のいずれか１項に記載のタッチパネルシステム。
【請求項８】
請求項１〜７のいずれか１項に記載のタッチパネルシステムと、
前記表示装置と、
を備えたことを特徴とする電子情報機器。
【請求項９】
請求項１〜７のいずれか１項に記載のタッチパネルシステムの製造方法であって、
前記表示装置が発生するノイズのレベルを測定するノイズ測定ステップと、
前記タッチパネルコントローラが前記応答信号を取得するタイミングが、前記基準信号の信号レベルが所定の変化をしてから次に所定の変化をするまでの間であり当該ノイズのレベルが相対的に小さい期間に該当するように、前記駆動開始タイミングパラメータを決定して前記記憶部に記憶させる駆動開始タイミングパラメータ決定ステップと、
を備えることを特徴とするタッチパネルシステムの製造方法。
【発明の詳細な説明】
【技術分野】
【０００１】
本発明は、表示装置の表示面上に設けられるタッチパネルを備えたタッチパネルシステムや、当該タッチパネルシステムを備えた電子情報機器、当該タッチパネルシステムの製造方法に関する。
【背景技術】
【０００２】
近年、表面上に接触または近接する指示体（例えば、ユーザの指やスタイラスなど、以下同じ）の有無及び位置を検出することによって、ユーザの指示を受け付けるタッチパネルシステムが、携帯電話やパソコンなどの電子情報機器に搭載されることが多くなってきている。
【０００３】
タッチパネルシステムは、表示装置の表示面上に設けられることが多いが、表示装置が発生するノイズによって指示体の検出精度が低下することがある。例えば、液晶ディスプレイでは、液晶材料の焼きつき等を防止するべく、液晶に与える電圧の極性反転を行う必要があり、共通電極に与える電圧を反転させて極性反転を行う場合、当該電圧の極性が反転するタイミングでノイズが発生する。さらに、この極性反転を１ラインの表示毎に行う場合、ノイズが頻繁に発生することになる。
【０００４】
そこで、特許文献１では、共通電極に与える電圧の極性反転の周期に同期したパルス状のマスク信号を生成するとともに、当該マスク信号の立ち上がりから立ち下りまでの期間中にはタッチパネルの駆動を停止させることで、液晶ディスプレイがノイズを発生させるタイミングを避けて指示体を検出するタッチパネルシステムが提案されている。
【０００５】
また、特許文献２では、感圧式のタッチパネルを備えるタッチパネルシステムにおいて、液晶に印加する交流化信号の安定部分に同期して、タッチパネルの座標検出信号をコントローラに入力することで、液晶ディスプレイがノイズを発生させるタイミングを避けて指示体を検出するタッチパネルシステムが提案されている。
【先行技術文献】
【特許文献】
【０００６】
【特許文献１】特開２０１１−１００１８６号公報
【特許文献２】特開平０６−３１８１３７号公報
【発明の概要】
【発明が解決しようとする課題】
【０００７】
しかしながら、表示装置の種類（例えば、液晶ディスプレイの他に、プラズマディスプレイや有機ＥＬ（electroluminescence）ディスプレイなど）やサイズの多様化に伴い、表示装置の動作に起因するノイズのパターンも多様化している。そのため、特許文献１及び特許文献２で提案されている、液晶ディスプレイに与える電圧が極性反転するタイミングを避けて指示体を検出するタッチパネルシステムであっても、表示装置の動作に起因するノイズを避けて指示体を検出することが、困難になる場合がある。
【０００８】
具体的に例えば、液晶ディスプレイのサイズが大きくなるほど、液晶ディスプレイに与える電圧が極性反転してからノイズが発生するまでの遅延が大きくなる。そのため、大型の液晶ディスプレイに対して、特許文献１及び特許文献２で提案されているタッチパネルシステムを適用したとしても、当該液晶ディスプレイに与える電圧の極性反転によって生じるノイズを避けて指示体を検出することが、困難になる場合がある。
【０００９】
そこで、本発明は、適用する表示装置に依ることなく、精度良く指示体を検出することができるタッチパネルシステムや、当該タッチパネルシステムを備えた電子情報機器、当該タッチパネルシステムの製造方法を提供する。
【課題を解決するための手段】
【００１０】
上記目的を達成するため、本発明は、表示装置の表示面上に設けられ、表面上に接触または近接する指示体の有無及び当該指示体の位置に対応した応答信号を出力するタッチパネルと、前記タッチパネルを駆動して、前記タッチパネルから出力される前記応答信号を取得するタッチパネルコントローラと、駆動開始タイミングパラメータを記憶する記憶部と、を備え、前記表示装置は、所定の周期で信号レベルが所定の変化をする基準信号に同期して動作し、前記タッチパネルコントローラは、前記基準信号の信号レベルが所定の変化をした後、前記駆動開始タイミングパラメータに対応した期間が経過したタイミングで、前記タッチパネルを駆動することを特徴とするタッチパネルシステムを提供する。
【００１１】
このタッチパネルシステムによれば、タッチパネルコントローラがタッチパネルを駆動して応答信号を取得するタイミングを、記憶部に記憶させる駆動開始タイミングパラメータによって、任意に決定することが可能になる。
【００１２】
さらに、上記特徴のタッチパネルシステムにおいて、前記タッチパネルコントローラが前記応答信号を取得するタイミングが、前記基準信号の信号レベルが所定の変化をしてから次に所定の変化をするまでの間であり前記表示装置が発生するノイズのレベルが相対的に小さい期間に該当するように、前記駆動開始タイミングパラメータが決定されていると、好ましい。
【００１３】
このタッチパネルシステムによれば、基準信号の信号レベルが所定の変化をしてから次に所定の変化をするまでの間において、表示装置が発生するノイズのレベルが相対的に大きい期間を避け、当該ノイズのレベルが相対的に小さい期間に、タッチパネルコントローラが応答信号を取得することが可能になる。したがって、精度良く指示体を検出することが可能になる。
【００１４】
さらに、上記特徴のタッチパネルシステムにおいて、前記タッチパネルコントローラが、
前記タッチパネルに駆動信号を与えて駆動し、前記タッチパネルに前記応答信号を出力させる送信部と、前記応答信号を取得する受信部と、前記送信部及び前記受信部の動作を制御する送受信制御部と、を備え、前記送受信制御部は、前記送信部が前記駆動信号を前記タッチパネルに与えるタイミングと、前記受信部が前記応答信号を取得するタイミングと、をそれぞれ制御すると、好ましい。
【００１５】
このタッチパネルシステムによれば、駆動信号をタッチパネルに与える送信部と、タッチパネルから応答信号を取得する受信部と、のそれぞれの動作のタイミングを、任意に決定することが可能になる。
【００１６】
さらに、上記特徴のタッチパネルシステムにおいて、前記基準信号の信号レベルが所定の変化をした後、前記駆動開始タイミングパラメータに対応した期間が経過したタイミングで、前記送信部が前記駆動信号を前記タッチパネルに与えるように、前記送受信制御部が前記送信部を制御し、前記基準信号の信号レベルが所定の変化をして、前記駆動開始タイミングパラメータに対応した期間が経過した後、さらに所定期間が経過したタイミングで、前記受信部が前記応答信号を取得するように、前記送受信制御部が前記受信部を制御すると、好ましい。
【００１７】
このタッチパネルシステムによれば、送信部がタッチパネルに駆動信号を与えた後、所定期間が経過して安定した状態になったタッチパネルから出力される応答信号を、受信部が取得することが可能になる。
【００１８】
さらに、上記特徴のタッチパネルシステムにおいて、前記基準信号と前記駆動開始タイミングパラメータとに基づいて生成する駆動開始信号を、前記送受信制御部に与える駆動開始信号生成部を、さらに備え、前記駆動開始信号生成部は、前記基準信号の信号レベルが所定の変化をした後、前記駆動開始タイミングパラメータに対応した期間が経過したタイミングで信号レベルが所定の変化をする前記駆動開始信号を生成し、前記送受信制御部は、前記駆動開始信号の信号レベルが所定の変化をするタイミングで、前記駆動信号を前記タッチパネルに与えるように前記送信部を制御し、前記駆動開始信号の信号レベルが所定の変化をした後、前記所定期間が経過したタイミングで、前記応答信号を取得するように前記受信部を制御すると、好ましい。
【００１９】
このタッチパネルシステムによれば、基準信号と駆動開始タイミングパラメータとに基づいて駆動開始信号を生成する駆動開始信号生成部を設けるのみで、送信部及び受信部の動作のタイミングを任意に決定することが可能になる。
【００２０】
さらに、上記特徴のタッチパネルシステムにおいて、前記駆動開始タイミングパラメータを決定して前記記憶部に記憶させる駆動タイミング決定部を、さらに備え、前記駆動タイミング決定部は、前記タッチパネルコントローラが、前記基準信号の信号レベルが所定の変化をするタイミングを基準とした異なる複数のタイミングで前記タッチパネルを駆動することで取得する、それぞれの前記応答信号に含まれる、ノイズのレベルを算出し、前記タッチパネルコントローラが前記応答信号を取得するタイミングが、前記基準信号の信号レベルが所定の変化をしてから次に所定の変化をするまでの間であり当該ノイズのレベルが相対的に小さい期間に該当するように、前記駆動開始タイミングパラメータを決定して前記記憶部に記憶させると、好ましい。
【００２１】
このタッチパネルシステムによれば、駆動タイミング決定部を備えることによって、精度良く指示体を検出するための駆動タイミングパラメータを、自動的に決定することが可能になる。
【００２２】
さらに、上記特徴のタッチパネルシステムにおいて、前記基準信号が、水平同期信号であってもよい。
【００２３】
また、本発明は、上記特徴のタッチパネルシステムと、前記表示装置と、を備えたことを特徴とする電子情報機器を提供する。
【００２４】
また、本発明は、上記特徴のタッチパネルシステムの製造方法であって、前記表示装置が発生するノイズのレベルを測定するノイズ測定ステップと、前記タッチパネルコントローラが前記応答信号を取得するタイミングが、前記基準信号の信号レベルが所定の変化をしてから次に所定の変化をするまでの間であり当該ノイズのレベルが相対的に小さい期間に該当するように、前記駆動開始タイミングパラメータを決定して前記記憶部に記憶させる駆動開始タイミングパラメータ決定ステップと、を備えることを特徴とするタッチパネルシステムの製造方法を提供する。
【００２５】
このタッチパネルシステムの製造方法によれば、基準信号の信号レベルが所定の変化をしてから次に所定の変化をするまでの間において、表示装置が発生するノイズのレベルが相対的に大きい期間を避け、当該ノイズのレベルが相対的に小さい期間に、タッチパネルコントローラが応答信号を取得するタッチパネルシステムを製造することが可能になる。したがって、精度良く指示体を検出することが可能なタッチパネルシステムを、製造することが可能になる。
【発明の効果】
【００２６】
上記特徴のタッチパネルシステムによれば、タッチパネルコントローラがタッチパネルを駆動して応答信号を取得するタイミングを、任意に決定することが可能である。そのため、表示装置が発生するノイズのパターンに応じて、応答信号を取得するタイミングを決定することができる。したがって、上記特徴のタッチパネルシステムは、適用する表示装置に依ることなく、精度良く指示体を検出することが可能である。
【００２７】
さらに、上記特徴のタッチパネルシステムでは、タッチパネルコントローラがタッチパネルを駆動して応答信号を取得するタイミングを、表示装置の動作のタイミングと独立して、任意に決定することが可能である。そのため、タッチパネルコントローラにおける各動作の相対的なタイミングを、表示装置が発生するノイズのパターンに依らず、最適なタイミングにすることが可能である。
【図面の簡単な説明】
【００２８】
【図１】本発明の第１実施形態に係るタッチパネルシステムの構成例を示すブロック図。
【図２】図１に示したタッチパネルの構成例について示すブロック図。
【図３】図１に示したタッチパネルコントローラの動作例について示すタイミングチャート。
【図４】図１に示した駆動開始信号生成部及びタッチパネルコントローラの動作例について示すタイミングチャート。
【図５】図１に示した駆動開始信号生成部の構成例について示すブロック図。
【図６】図５に示すシフトレジスタの動作例について示すタイミングチャート。
【図７】本発明の第２実施形態に係るタッチパネルシステムの構成例を示すブロック図。
【図８】図７に示した駆動タイミング決定部の動作例について示すフローチャート。
【図９】フレーム毎ノイズ最大値の測定結果の一例について示すグラフ。
【図１０】本発明の実施形態に係る電子情報機器の構成例を示すブロック図。
【発明を実施するための形態】
【００２９】
＜＜タッチパネルシステム＞＞
以下、本発明の実施形態に係るタッチパネルシステムについて説明する。なお、以下では説明の具体化のため、静電容量方式かつ投影型のタッチパネルを備え、液晶ディスプレイに対して適用されるタッチパネルシステムについて例示する。
【００３０】
＜第１実施形態＞
本発明の第１実施形態に係るタッチパネルシステムについて、図面を参照して説明する。図１は、本発明の第１実施形態に係るタッチパネルシステムの構成例を示すブロック図である。また、図２は、図１に示したタッチパネルの構成例について示すブロック図である。
【００３１】
図１に示すように、タッチパネルシステム１は、表示装置（液晶ディスプレイ）Ｘの表示面上に設けられ表面上に接触または近接する指示体の有無及び当該指示体の位置に対応した応答信号Ｓｓを出力するタッチパネル１０と、タッチパネル１０に駆動信号Ｓｄを与えて駆動するとともにタッチパネル１０から出力される応答信号Ｓｓを取得して出力信号Ｓｃを生成するタッチパネルコントローラ２０と、タッチパネルコントローラ２０が出力する出力信号Ｓｃに基づいてタッチパネル１０の表面上に接触または近接する指示体の有無及び当該指示体の位置を算出する位置算出部３０と、表示装置駆動部Ｙが出力する水平同期信号Ｈ及び駆動開始タイミングパラメータＰに基づいて駆動開始信号Ｃｓｔを生成する駆動開始信号生成部４０と、駆動開始タイミングパラメータＰ及び駆動中タイミングパラメータＵを記憶する記憶部５０と、を備える。
【００３２】
また、図２に示すように、タッチパネル１０は、表示装置Ｘの表示面Ｘ１上に設けられ、表示装置Ｘの表示面Ｘ１に沿って互いに平行に配置される複数のドライブラインＤＬと、同じく表示装置Ｘの表示面Ｘ１に沿って互いに平行に配置される複数のセンスラインＳＬと、を備える。ドライブラインＤＬが延びる方向（図中左右方向）と、センスラインＳＬが延びる方向（図中上下方向）とは異なっており、交差している（図２に示す例では直交している）。ただし、ドライブラインＤＬ及びセンスラインＳＬは、間に絶縁性の透明な基板などを備え、立体交差している。なお、ドライブラインＤＬ及びセンスラインＳＬは、表示装置Ｘの表示面Ｘ１上に配置してもよいし、表示装置Ｘの表示面Ｘ１の表面に埋め込むように配置してもよい。
【００３３】
駆動中のタッチパネル１０の表面に指示体が接触または近接すると、ドライブラインＤＬ及びセンスラインＳＬの交差部分における静電容量が変化する。タッチパネルシステム１では、この静電容量の変化を示す応答信号Ｓｓが、センスラインＳＬに表れることを利用して、指示体を検出する。
【００３４】
具体的に例えば、Ｍ系列などの擬似乱数から成る系列信号（例えば、ドライブラインＤＬの本数と等しい桁数であり「０」及び「１」を組み合わせて成る信号）を、駆動信号ＳｄとしてそれぞれのドライブラインＤＬに対して同時に与え、それぞれのセンスラインＳＬに表れる応答信号Ｓｓに対して当該系列信号を用いた復号を行うことにより、タッチパネル１０の表面の各位置における静電容量の大きさを示す出力信号Ｓｃを生成する。なお、それぞれのドライブラインＤＬに対して与えられる系列信号の駆動信号Ｓｄは、所定の周期毎に更新される。
【００３５】
また、図１に示すように、タッチパネルコントローラ２０は、駆動信号Ｓｄを生成して出力する送信部２１と、応答信号Ｓｓを取得する受信部２２と、送信部２１が生成する駆動信号Ｓｄをタッチパネル１０のドライブラインＤＬに与える送信側インタフェース２３と、タッチパネル１０が出力する応答信号Ｓｓを受信部２２に与える受信側インタフェース２４と、送信部２１及び受信部２２の動作を制御する送受信制御部２５と、を備える。
【００３６】
送信部２１は、上述の駆動信号Ｓｄを生成する駆動信号生成部２１１を備える。駆動信号生成部２１１が駆動信号Ｓｄを生成するタイミングは、送受信制御部２５によって制御される。
【００３７】
受信部２２は、応答信号Ｓｓを増幅するアンプ部２２１と、アンプ部２２１で増幅された応答信号Ｓａを取得（サンプルホールド）するサンプルホールド部２２２と、サンプルホールド部２２２で取得された応答信号ＳｓｈをＡＤ（Analog to Digital）変換するＡＤ変換部２２３と、駆動信号生成部２１１から与えられる上記の系列信号から成る復号用信号Ｓｅを用いてＡＤ変換部２２３でＡＤ変換された応答信号Ｓｄｓを復号して出力信号Ｓｃを生成する復号部２２４と、を備える。なお、復号部２２４が、駆動信号生成部２１１が生成する復号用信号Ｓｅを受け取らず、自ら復号用信号Ｓｅを生成してもよい。
【００３８】
アンプ部２２１、サンプルホールド部２２２、ＡＤ変換部２２３及び復号部２２４のそれぞれの動作は、送受信制御部２５によって制御される。特に、サンプルホールド部２２２が応答信号Ｓａを取得するタイミングは、送受信制御部２５が出力するサンプルホールドタイミング制御信号Ｃｓｈによって制御される。
【００３９】
送受信制御部２５は、駆動開始信号生成部４０が生成する駆動開始信号Ｃｓｔと、記憶部５０に記憶されている駆動中タイミングパラメータＵと、に基づいて、送信部２１及び受信部２２を制御する。
【００４０】
駆動開始信号生成部４０は、表示装置駆動部Ｙが生成する水平同期信号Ｈ（基準信号）と、記憶部５０に記憶されている駆動開始タイミングパラメータＰと、に基づいて、駆動開始信号Ｃｓｔを生成して送受信制御部２５に与える。なお、表示装置Ｘは、水平同期信号Ｈに同期して動作する（１ラインの表示を行う）。
【００４１】
記憶部５０は、駆動開始タイミングパラメータＰを記憶する第１レジスタ５１と、駆動中タイミングパラメータＵを記憶する第２レジスタ５２と、を備える。なお、第１レジスタ５１及び第２レジスタ５２のそれぞれを、例えば４ビットの不揮発性のレジスタで構成してもよい。
【００４２】
次に、タッチパネルコントローラ２０の動作例について、図３を参照して説明する。図３は、図１に示したタッチパネルコントローラの動作例について示すタイミングチャートである。
【００４３】
図３に示すように、タッチパネルコントローラ２０は、駆動開始信号Ｃｓｔがローからハイへ立ち上がる（信号レベルが所定の変化をする）タイミングで、タッチパネル１０を駆動する。具体的には、駆動開始信号Ｃｓｔがローからハイへ立ち上がると、送受信制御部２５が、駆動信号生成部２１１が新たな駆動信号Ｓｄを生成してタッチパネル１０に与えるように、制御する。
【００４４】
駆動信号生成部２１１は、駆動開始信号Ｃｓｔがローからハイへ立ち上がってから次にローからハイへ立ち上がるまでの間（駆動期間Ｔｄ）において、駆動信号Ｓｄを出力する。駆動信号Ｓｄは、例えば上述の系列信号と、当該系列信号とは逆の値（系列信号が「０」であれば「１」、系列信号が「１」であれば「０」となる値）のリセット信号と、を連続させたものから成る。駆動信号Ｓｄの前半の所定の期間（リセット期間Ｔ１）がリセット信号であり、その後の期間（指示体検出期間Ｔ２）が系列信号である。このように、指示体検出期間Ｔ２の前にリセット期間Ｔ１を設けることで、前回の駆動期間Ｔｄにおいて蓄積された電荷が今回の駆動期間Ｔｄに影響することを、抑制することが可能になる。
【００４５】
ただし、上記の駆動信号Ｓｄをタッチパネル１０に与える場合、リセット期間Ｔ１から指示体検出期間Ｔ２に遷移した直後の応答信号Ｓａは、タッチパネル１０に蓄積される電荷が安定していない状態で出力されたものである。そのため、送受信制御部２５は、リセット期間Ｔ１から指示体検出期間Ｔ２に遷移した後、所定の期間が経過してタッチパネル１０に蓄積される電荷が安定したタイミングで、サンプルホールド部２２２が応答信号Ｓａを取得するように制御する。
【００４６】
送受信制御部２５は、駆動開始信号Ｃｓｔがローからハイに立ち上がった後、リセット期間Ｔ１よりも長い期間（サンプルホールド待機期間Ｔ３）が経過したタイミングで、ハイからローに立ち下がる（信号レベルが所定の変化をする）サンプルホールドタイミング制御信号Ｃｓｈを、生成して出力する。そして、サンプルホールド部２２２は、サンプルホールドタイミング制御信号Ｃｓｈがハイからローに立ち下がるタイミングで、応答信号Ｓａを取得する。
【００４７】
送受信制御部２５は、駆動中タイミングパラメータＵに基づいて、サンプルホールド待機期間Ｔ３を決定する。そのため、第２レジスタ５２に記憶させる駆動中タイミングパラメータＵを変更すれば、サンプルホールド待機期間Ｔ３の長短を変更することが可能である。
【００４８】
次に、駆動開始信号生成部４０及びタッチパネルコントローラ２０の動作例について、図４を参照して説明する。図４は、図１に示した駆動開始信号生成部及びタッチパネルコントローラの動作例について示すタイミングチャートである。
【００４９】
図４に示すように、表示装置駆動部Ｙが生成する水平同期信号Ｈは、所定の周期で信号レベルがローからハイに立ち上がる（信号レベルが所定の変化をする）。また、水平同期信号Ｈがローからハイに立ち上がるタイミングに同期して動作する表示装置Ｘが発生するノイズＮ（表示装置Ｘの動作によってセンスラインＳＬに表れるノイズ）のレベルも、水平同期信号Ｈがローからハイに立ち上がる周期と同じ周期で変動する。即ち、水平同期信号Ｈがローからハイに立ち上がってから次にローからハイに立ち上がるまでの間には、表示装置Ｘが発生するノイズＮのレベルが相対的に大きい期間と、当該ノイズＮのレベルが相対的に小さい期間とが存在し、さらにこれらの期間が、水平同期信号Ｈがローからハイに立ち上がる周期と同じ周期で繰り返されることになる。
【００５０】
駆動開始信号生成部４０は、水平同期信号Ｈがローからハイに立ち上がった後、駆動開始タイミングパラメータＰに対応した期間（駆動開始待機期間Ｔｓ）が経過したタイミングで信号レベルがローからハイに立ち上がる駆動開始信号Ｃｓｔを、生成する。これにより、サンプルホールド部２２２が応答信号Ｓａを取得するタイミング（水平同期信号Ｈがローからハイに立ち上がった後、駆動開始待機期間Ｔｓ及びサンプルホールド待機期間Ｔ３が経過したタイミング）を、第１レジスタ５１に記憶させる駆動開始タイミングパラメータＰによって、任意に決定することが可能になる。
【００５１】
特に、本実施形態のタッチパネルシステム１では、水平同期信号Ｈがローからハイに立ち上がってから次にローからハイに立ち上がるまでの間において、表示装置Ｘが発生するノイズＮのレベルが相対的に大きい期間を避け、当該ノイズＮのレベルが相対的に小さい期間にサンプルホールド部２２２が応答信号Ｓａを取得するように決定した駆動開始タイミングパラメータＰを、第１レジスタ５１に記憶させる。
【００５２】
例えば、タッチパネルシステム１及び表示装置Ｘを備えた電子情報機器の出荷前に、表示装置Ｘが発生するノイズＮを測定して、上記の条件を満たす駆動開始タイミングパラメータＰを決定し、第１レジスタ５１に記憶させる。なお、当該電子情報機器の出荷後において、例えばユーザやサービスマンが、所定のアプリケーションを実行したり、所定の機器を使用したりすることによって、第１レジスタ５１に記憶されている駆動開始タイミングパラメータＰが変更されるようにしてもよい。
【００５３】
上述の動作を実行可能な駆動開始信号生成部４０の構成例及び動作例について、図５及び図６を参照して説明する。図５は、図１に示した駆動開始信号生成部の構成例について示すブロック図である。図６は、図５に示すシフトレジスタの動作例について示すタイミングチャートである。
【００５４】
図５に示すように、駆動開始信号生成部４０は、第１レジスタ５１の出力端子Ｒ１〜Ｒ４から出力される４ビットの駆動開始タイミングパラメータＰが入力される４つの入力端子Ｄ１〜Ｄ４と１６個の出力端子Ｓ１〜Ｓ１６とを備えるデコーダ４１と、水平同期信号Ｈが入力される入力端子ＨＤとクロック信号が入力される入力端子ＣＫと１６個の出力端子Ｑ１〜Ｑ１６とを備えるシフトレジスタ４２と、１６個のスイッチ４３１〜４３１６と、を備える。
【００５５】
スイッチ４３１は、一方の接点が出力端子Ｑ１に接続され、一方の接点と他方の接点との接続が出力端子Ｓ１６から出力される信号に制御される。スイッチ４３２は、一方の接点が出力端子Ｑ２に接続され、一方の接点と他方の接点との接続が出力端子Ｓ１５から出力される信号に制御される。スイッチ４３３は、一方の接点が出力端子Ｑ３に接続され、一方の接点と他方の接点との接続が出力端子Ｓ１４から出力される信号に制御される。スイッチ４３４は、一方の接点が出力端子Ｑ４に接続され、一方の接点と他方の接点との接続が出力端子Ｓ１３から出力される信号に制御される。スイッチ４３５は、一方の接点が出力端子Ｑ５に接続され、一方の接点と他方の接点との接続が出力端子Ｓ１２から出力される信号に制御される。スイッチ４３６は、一方の接点が出力端子Ｑ６に接続され、一方の接点と他方の接点との接続が出力端子Ｓ１１から出力される信号に制御される。スイッチ４３７は、一方の接点が出力端子Ｑ７に接続され、一方の接点と他方の接点との接続が出力端子Ｓ１０から出力される信号に制御される。スイッチ４３８は、一方の接点が出力端子Ｑ８に接続され、一方の接点と他方の接点との接続が出力端子Ｓ９から出力される信号に制御される。スイッチ４３９は、一方の接点が出力端子Ｑ９に接続され、一方の接点と他方の接点との接続が出力端子Ｓ８から出力される信号に制御される。スイッチ４３１０は、一方の接点が出力端子Ｑ１０に接続され、一方の接点と他方の接点との接続が出力端子Ｓ７から出力される信号に制御される。スイッチ４３１１は、一方の接点が出力端子Ｑ１１に接続され、一方の接点と他方の接点との接続が出力端子Ｓ６から出力される信号に制御される。スイッチ４３１２は、一方の接点が出力端子Ｑ１２に接続され、一方の接点と他方の接点との接続が出力端子Ｓ５から出力される信号に制御される。スイッチ４３１３は、一方の接点が出力端子Ｑ１３に接続され、一方の接点と他方の接点との接続が出力端子Ｓ４から出力される信号に制御される。スイッチ４３１４は、一方の接点が出力端子Ｑ１４に接続され、一方の接点と他方の接点との接続が出力端子Ｓ３から出力される信号に制御される。スイッチ４３１５は、一方の接点が出力端子Ｑ１５に接続され、一方の接点と他方の接点との接続が出力端子Ｓ２から出力される信号に制御される。スイッチ４３１６は、一方の接点が出力端子Ｑ１６に接続され、一方の接点と他方の接点との接続が出力端子Ｓ１から出力される信号に制御される。また、スイッチ４３１〜４３１６の他方の接点は、それぞれ接続され、その接続ノードから駆動開始信号Ｃｓｔが出力される。
【００５６】
デコーダ４１は、入力端子Ｄ１〜Ｄ４に入力される駆動開始タイミングパラメータＰに応じて、出力端子Ｓ１〜Ｓ１６から出力される信号のいずれか１つをハイにするとともに、他の全てをローにする。これにより、スイッチ４３１〜４３１６のいずれか１つがオンになり、他の全てがオフになる。即ち、オンになったいずれか１つのスイッチ４３１〜４３１６を介して出力される信号が、駆動開始信号Ｃｓｔとなる。
【００５７】
また、図６に示すように、入力端子ＨＤに入力される水平同期信号Ｈがローからハイに立ち上がると、入力端子ＣＫに入力されるクロック信号のローからハイへの立ち上がりに合わせて、出力端子Ｑ１から出力される信号がローからハイに立ち上がる。そして、次に入力端子ＣＫに入力されるクロック信号がローからハイに立ち上がると、出力端子Ｑ２から出力される信号がローからハイに立ち上がるとともに、出力端子Ｑ１から出力される信号がハイからローに立ち下がる。
【００５８】
その後同様に、入力端子ＣＫに入力されるクロック信号がローからハイに立ち上がる毎に、出力端子Ｑ３、Ｑ４、・・・、Ｑ１６の順番で出力される信号がローからハイに立ち上がり、出力端子Ｑ２、Ｑ３、・・・、Ｑ１６の順番で出力される信号がハイからローに立ち下がる。即ち、出力端子Ｑ１、Ｑ２、・・・、Ｑ１６の順番で、出力される信号の信号レベルが時間差で変化する。
【００５９】
上記のように、スイッチ４３１〜４３１６のいずれか１つがオンになり、出力端子Ｑ１、Ｑ２、・・・、Ｑ１６から出力される信号の信号レベルが時間差で変化をする構成にすると、スイッチ４３１〜４３１６のいずれをオンにするか（駆動タイミングパラメータＰをどのような値にするか）によって、駆動開始信号Ｃｓｔがローからハイに立ち上がるタイミングを、決定することが可能になる。
【００６０】
具体的に例えば、図６に示すように、入力端子ＨＤに入力される水平同期信号Ｈがローからハイに立ち上がると同時に、クロック信号がハイからローへ立ち下がる場合であって、入力端子ＣＫに入力されるクロック信号の周波数が２ＭＨｚ（周期０．５μｓ）である場合を想定する。この場合、スイッチ４３１がオン（出力端子Ｓ１６から出力される信号がハイ）であると、入力端子ＨＤに入力される水平同期信号Ｈがローからハイに立ち上がってから０．２５μｓ後に、駆動開始信号Ｃｓｔがローからハイに立ち上がる。また、スイッチ４３２がオン（出力端子Ｓ１５から出力される信号がハイ）であると、入力端子ＨＤに入力される水平同期信号Ｈがローからハイに立ち上がってから０．７５μｓ後に、駆動開始信号Ｃｓｔがローからハイに立ち上がる。
【００６１】
以下同様に、入力端子ＨＤに入力される水平同期信号Ｈがローからハイに立ち上がってから、スイッチ４３３がオン（出力端子Ｓ１４から出力される信号がハイ）である場合は１．２５μｓ後、スイッチ４３４がオン（出力端子Ｓ１３から出力される信号がハイ）である場合は１．７５μｓ後に、スイッチ４３５がオン（出力端子Ｓ１２から出力される信号がハイ）である場合は２．２５μｓ後に、スイッチ４３６がオン（出力端子Ｓ１１から出力される信号がハイ）である場合は２．７５μｓ後に、スイッチ４３７がオン（出力端子Ｓ１０から出力される信号がハイ）である場合は３．２５μｓ後に、スイッチ４３８がオン（出力端子Ｓ９から出力される信号がハイ）である場合は３．７５μｓ後に、スイッチ４３９がオン（出力端子Ｓ８から出力される信号がハイ）である場合は４．２５μｓ後に、スイッチ４３１０がオン（出力端子Ｓ７から出力される信号がハイ）である場合は４．７５μｓ後に、スイッチ４３１１がオン（出力端子Ｓ６から出力される信号がハイ）である場合は５．２５μｓ後に、スイッチ４３１２がオン（出力端子Ｓ５から出力される信号がハイ）である場合は５．７５μｓ後に、スイッチ４３１３がオン（出力端子Ｓ４から出力される信号がハイ）である場合は６．２５μｓ後に、スイッチ４３１４がオン（出力端子Ｓ３から出力される信号がハイ）である場合は６．７５μｓ後に、スイッチ４３１５がオン（出力端子Ｓ２から出力される信号がハイ）である場合は７．２５μｓ後に、スイッチ４３１６がオン（出力端子Ｓ１から出力される信号がハイ）である場合は７．７５μｓ後に、駆動開始信号Ｃｓｔがローからハイに立ち上がる。
【００６２】
この場合、水平同期信号Ｈの周期が１４．７μｓであれば、駆動開始信号Ｃｓｔがローからハイへ立ち上がるタイミングを、水平同期信号Ｈの周期の中間点を超えて、遅らせることが可能である。
【００６３】
以上のように、タッチパネルシステム１では、タッチパネルコントローラ２０がタッチパネル１０を駆動して応答信号Ｓａを取得するタイミングを、任意に決定することが可能である。そのため、表示装置Ｘが発生するノイズＮのパターンに応じて、応答信号Ｓａを取得するタイミングを決定することができる。したがって、タッチパネルシステム１は、適用する表示装置Ｘに依ることなく、精度良く指示体を検出することが可能である。
【００６４】
さらに、タッチパネルシステム１では、タッチパネルコントローラ２０がタッチパネル１０を駆動して応答信号Ｓａを取得するタイミングを、表示装置Ｘの動作のタイミングと独立して、任意に決定することが可能である。そのため、タッチパネルコントローラ２０における各動作の相対的なタイミングを、表示装置Ｘが発生するノイズＮのパターンに依らず、最適なタイミングにすることが可能である。
【００６５】
＜第２実施形態＞
次に、本発明の第２実施形態に係るタッチパネルシステムについて、図面を参照して説明する。図７は、本発明の第２実施形態に係るタッチパネルシステムの構成例を示すブロック図であり、第１実施形態について示した図１に対応するものである。なお、本発明の第２実施形態に係るタッチパネルシステム１Ａにおいて、本発明の第１実施形態に係るタッチパネルシステム１と同様となる部分については、同じ符号を付すとともに詳細な説明を省略する。
【００６６】
図７に示すように、タッチパネルシステム１Ａは、タッチパネル１０と、タッチパネルコントローラ２０と、位置算出部３０と、駆動開始信号生成部４０と、記憶部５０と、表示装置駆動部Ｙから出力される水平同期信号Ｈとタッチパネルコントローラ２０から出力される出力信号Ｓｃとに基づいて第１レジスタ５１が記憶する駆動開始タイミングパラメータＰを決定する駆動タイミング決定部６０と、を備える。即ち、本発明の第２実施形態に係るタッチパネルシステム１Ａは、駆動タイミング決定部６０を備える点を除いて、本発明の第１実施形態に係るタッチパネルシステム１と同様の構成である。
【００６７】
駆動タイミング決定部６０の動作例について、図８を参照して説明する。図８は、図７に示した駆動タイミング決定部の動作例について示すフローチャートである。なお、図８に示す動作は、例えば、タッチパネルシステム１Ａ及び表示装置Ｘを備えた電子情報機器の出荷前や、出荷後の校正時に行なわれるものであり、タッチパネル１０の表面上に指示体が存在しない状態で行われるべきものである。
【００６８】
図８に示すように、駆動タイミング決定部６０は、最初に暫定駆動タイミングパラメータＶを初期値の０に設定し、第１レジスタ５１に記憶させる（ステップ＃１）。また、駆動タイミング決定部６０は、測定フレーム数Ｆを初期値の１に設定する（ステップ＃２）。そして、タッチパネルコントローラ２０は、駆動信号Ｓｄをタッチパネル１０に与えて駆動するとともに、タッチパネル１０から応答信号Ｓｓを取得する（上述のタッチパネルシステム１の動作例の説明参照）。
【００６９】
次に、駆動タイミング決定部６０は、タッチパネルコントローラ２０から出力される出力信号Ｓｃに基づいて、ノイズ評価値Ｎ（Ｖ，Ｆ）を算出する（ステップ＃３）。上述のように、出力信号Ｓｃは、タッチパネル１０の表面上に指示体が存在しない状態で得られたものである。そのため、表示装置Ｘがノイズを発生しなければ、出力信号Ｓｃが示すタッチパネル１０の表面の各位置における静電容量の大きさは一定になるはずであり、ばらつきが生じていれば、それは表示装置Ｘが発生するノイズのレベルを表現するものであると言える。したがって、例えば、出力信号Ｓｃが示すタッチパネル１０の表面の各位置における静電容量の大きさの標準偏差を、ノイズ評価値Ｎ（Ｖ，Ｆ）とすることができる。
【００７０】
ノイズ評価値Ｎ（Ｖ，Ｆ）が、同一の暫定駆動タイミングパラメータＶであり以前の測定フレーム（０〜Ｆ−１）で得られたフレーム毎ノイズ最大値ＮＭＡＸ（Ｖ）よりも大きい場合（ステップ＃４、ＹＥＳ）、フレーム毎ノイズ最大値ＮＭＡＸ（Ｖ）をノイズ評価値Ｎ（Ｖ，Ｆ）に更新する（ステップ＃５）。一方、ノイズ評価値Ｎ（Ｖ，Ｆ）が、同一の暫定駆動タイミングパラメータＶであり以前のフレーム（０〜Ｆ−１）で得られたフレーム毎ノイズ最大値ＮＭＡＸ（Ｖ）以下である場合は（ステップ＃４、ＮＯ）、フレーム毎ノイズ最大値ＮＭＡＸ（Ｖ）を更新せず維持する。なお、測定フレームＦが初期値の１である場合は、ノイズ評価値Ｎ（Ｖ，１）をフレーム毎ノイズ最大値ＮＭＡＸ（Ｖ）とする。
【００７１】
次に、駆動タイミング決定部６０は、測定フレーム数Ｆを１増加して（ステップ＃６）、測定フレーム数Ｆが上限値ＦＥＮＤよりも大きくなったか否かを確認する（ステップ＃７）。測定フレーム数Ｆが上限値ＦＥＮＤ以下である場合（ステップ＃７、ＮＯ）、上述したステップ＃３〜＃６の動作をもう一度行う。一方、測定フレーム数Ｆが上限値ＦＥＮＤよりも大きい場合（ステップ＃７、ＹＥＳ）、フレーム毎ノイズ最大値ＮＭＡＸ（Ｖ）が、以前の暫定駆動タイミングパラメータ（０〜Ｖ−１）における暫定駆動タイミングパラメータ毎ノイズ最小値ＮＭＩＮよりも小さいか否かを確認する（ステップ＃８）。
【００７２】
フレーム毎ノイズ最大値ＮＭＡＸ（Ｖ）が、以前の暫定駆動タイミングパラメータ（０〜Ｖ−１）における暫定駆動タイミングパラメータ毎ノイズ最小値ＮＭＩＮよりも小さい場合（ステップ＃８、ＹＥＳ）、暫定駆動タイミングパラメータ毎ノイズ最小値ＮＭＩＮをフレーム毎ノイズ最大値ＮＭＡＸ（Ｖ）に更新するとともに、ノイズ最小化暫定駆動タイミングパラメータＶＭＩＮを暫定駆動タイミングパラメータＶに更新する（ステップ＃９）。一方、フレーム毎ノイズ最大値ＮＭＡＸ（Ｖ）が、以前の暫定駆動タイミングパラメータ（０〜Ｖ−１）における暫定駆動タイミングパラメータ毎ノイズ最小値ＮＭＩＮ以上である場合は（ステップ＃８、ＮＯ）、暫定駆動タイミングパラメータ毎ノイズ最小値ＮＭＩＮ及びノイズ最小化暫定駆動タイミングパラメータＶＭＩＮを更新せず維持する。なお、暫定駆動タイミングパラメータＶが初期値の０である場合は、フレーム毎ノイズ最大値ＮＭＡＸ（０）を暫定駆動タイミングパラメータ毎ノイズ最小値ＮＭＩＮとする。
【００７３】
次に、駆動タイミング決定部６０は、暫定駆動タイミングパラメータＶを１増加して（ステップ＃１０）、暫定駆動タイミングパラメータＶが上限値ＶＥＮＤよりも大きくなったか否かを確認する（ステップ＃１１）。暫定駆動タイミングパラメータＶが上限値ＶＥＮＤ以下である場合（ステップ＃１１、ＮＯ）、上述したステップ＃２〜＃１０の動作をもう一度行う。一方、暫定駆動タイミングパラメータＶが上限値ＶＥＮＤよりも大きい場合は（ステップ＃１１、ＹＥＳ）、ノイズ最小化暫定駆動タイミングパラメータＶＭＩＮを、駆動タイミングパラメータＰとして決定するとともに、第１レジスタ５１に記憶させて、動作を終了する。
【００７４】
ここで、フレーム毎ノイズ最大値ＮＭＡＸ（Ｖ）の測定結果の一例について、図９を参照して説明する。図９は、フレーム毎ノイズ最大値の測定結果の一例について示すグラフである。なお、図９に示すグラフでは、横軸を暫定駆動タイミングパラメータＶ、縦軸をフレーム毎ノイズ最大値ＮＭＡＸ（Ｖ）としている。
【００７５】
図９に示すように、暫定駆動タイミングパラメータＶ毎に、フレーム毎ノイズ最大値ＮＭＡＸ（Ｖ）が得られる。そして、得られたフレーム毎ノイズ最大値ＮＭＡＸ（Ｖ）の最小値が、暫定駆動タイミングパラメータ毎ノイズ最小値ＮＭＩＮとなる（図中の▲）。そして、暫定駆動タイミングパラメータ毎ノイズ最小値ＮＭＩＮが得られた暫定駆動タイミングパラメータＶが、ノイズ最小化暫定駆動タイミングパラメータＶＭＩＮとなる。
【００７６】
以上のように、タッチパネルシステム１Ａでは、駆動タイミング決定部６０を備えることによって、精度良く指示体を検出するための駆動タイミングパラメータＰを、自動的に決定することが可能になる。
【００７７】
そのため、例えばタッチパネルシステム１Ａ及び表示装置Ｘを備えた電子情報機器の出荷前において、駆動開始タイミングパラメータＰを、容易に決定することが可能になる。また例えば、タッチパネルシステム１Ａ及び表示装置Ｘを備えた電子情報機器の出荷後において、特別な知識や技術を持たないユーザやサービスマンであっても、駆動開始タイミングパラメータＰを、容易に決定または再決定することが可能になる。
【００７８】
なお、測定フレーム数Ｆの上限値ＦＥＮＤは、例えば６４のように、ある程度大きい値にすると、好ましい。この場合、継続的に安定してノイズのレベルが小さくなるタイミングにおいて、サンプルホールド部２２２に応答信号Ｓａを取得させることを可能にする駆動タイミングパラメータＰを、駆動タイミング決定部６０が自動的に決定することが可能になる。
【００７９】
＜＜電子情報機器＞＞
上述のタッチパネルシステム１，１Ａ及び表示装置Ｘを備えた、本発明の実施形態に係る電子情報機器の構成例について、図１０を参照して説明する。図１０は、本発明の実施形態に係る電子情報機器の構成例を示すブロック図である。
【００８０】
図１０に示すように、本発明の実施形態に係る電子情報機器１００は、上述の表示装置Ｘに相当する表示装置１０１と、上述の表示装置駆動部Ｙを含む表示装置制御部１０２と、上述のタッチパネル１０に相当するタッチパネル１０３と、上述のタッチパネルコントローラ２０に相当するタッチパネルコントローラ１０４と、ユーザに押下されることでユーザの指示を受け付けるボタンスイッチ部１０５と、撮像により画像データを生成する撮像部１０６と、入力される音声データを音声として出力する音声出力部１０７と、集音により音声データを生成する集音部１０８と、音声出力部１０７に与える音声データの処理や集音部１０８から与えられる音声データの処理を行う音声処理部１０９と、電子情報機器１００の外部の機器と通信データを無線により通信する無線通信部１１０と、通信データを電磁波として放射するとともに電子情報機器１００の外部の機器から放射された電磁波を受信して通信データを得るアンテナ１１１と、電子情報機器１００の外部の機器と通信データを有線により通信する有線通信部１１２と、各種データを記憶する記憶部１１３と、電子情報機器１００の全体の動作を制御する本体制御部１１４と、を備える。
【００８１】
上述の位置算出部３０、駆動開始信号生成部４０及び駆動タイミング決定部６０は、例えば本体制御部１１４に含まれる。また、記憶部５０は、例えば記憶部１１３に含まれる。
【００８２】
なお、上述の送受信制御部２５を、タッチパネルコントローラ１０４ではなく、本体制御部１１４の一部としてもよい。また、図１０に示す電子情報機器１００は、上述の表示装置Ｘ及びタッチパネルシステム１，１Ａの適用例の１つに過ぎない。上述の表示装置Ｘ及びタッチパネルシステム１，１Ａは、電子情報機器１００とは異なる構成の電子情報機器に対しても、適用可能である。
【００８３】
＜＜変形等＞＞
図４において、水平同期信号Ｈがローからハイに立ち上がってから次にローからハイに立ち上がるまでの間に、サンプルホールド部２２２が１回だけ応答信号Ｓａを取得する場合について例示したが、サンプルホールド部２２２が２回以上応答信号Ｓａを取得してもよい。この場合も、水平同期信号Ｈがローからハイに立ち上がってから次にローからハイに立ち上がるまでの間において、相対的にノイズＮのレベルが小さい期間に、サンプルホールド部２２２が２回以上応答信号Ｓａを取得すればよい。
【００８４】
また、図４において、水平同期信号Ｈが１回ローからハイに立ち上がる毎に、駆動開始信号Ｃｓｔの信号レベルが１回ローからハイに立ち上がる場合について例示したが、駆動開始信号Ｃｓｔがローからハイに立ち上がる回数を減らしてもよい。例えば、水平同期信号Ｈが２回ローからハイに立ち上がる毎に、駆動開始信号Ｃｓｔが１回ローからハイに立ち上がるようにしてもよい。さらにこの場合、駆動開始信号Ｃｓｔがローからハイに立ち上がった後、駆動開始待機期間Ｔｓが経過してから、ドライブ期間Ｔｄを２回続けて行ってもよい。
【００８５】
ただし、図４に示すように、水平同期信号Ｈが１回ローからハイに立ち上がる毎に、駆動開始信号Ｃｓｔが１回ローからハイに立ち上がるようにすると、サンプルホールド部２２２が応答信号Ｓａを取得するタイミングを、精度良く制御することができるため、好ましい。特に、上述のように、水平同期信号Ｈがローからハイに立ち上がってから次にローからハイに立ち上がるまでの間に、サンプルホールド部２２２が２回以上応答信号Ｓａを取得するような場合は、水平同期信号Ｈが１回ローからハイに立ち上がる毎に、駆動開始信号Ｃｓｔが１回ローからハイに立ち上がるようにすると、好ましい。
【００８６】
また、タッチパネルコントローラ２０が、水平同期信号Ｈ以外の表示装置Ｘを動作させるための信号を基準としたタイミングで、タッチパネル１０を駆動して、応答信号Ｓｓを取得してもよい。
【００８７】
また、本発明の実施形態として、静電容量方式かつ投影型であるタッチパネル１０を備え、液晶ディスプレイである表示装置Ｘに対して適用されるタッチパネルシステム１，１Ａについて例示したが、本発明に係るタッチパネルシステムは、他の方式のタッチパネルを備えるタッチパネルシステムであってもよいし、液晶ディスプレイ以外の表示装置に対して適用されるタッチパネルシステムであってもよい。
【産業上の利用可能性】
【００８８】
本発明に係るタッチパネルシステムは、表示装置の表示面上に設けられるタッチパネルを備えたタッチパネルシステムや、当該タッチパネルシステムを備えた電子情報機器、当該タッチパネルシステムの製造方法において、好適に利用され得る。
【符号の説明】
【００８９】
１，１Ａ  ：  タッチパネルシステム
１０      ：  タッチパネル
２０      ：  タッチパネルコントローラ
２１      ：  送信部
２１１    ：  駆動信号生成部
２２      ：  受信部
２２１    ：  アンプ部
２２２    ：  サンプルホールド部
２２３    ：  ＡＤ変換部
２２４    ：  復号部
２３      ：  送信側インタフェース
２４      ：  受信側インタフェース
２５      ：  送受信制御部
３０      ：  位置算出部
４０      ：  駆動開始信号生成部
４１      ：  デコーダ
４２      ：  シフトレジスタ
５０      ：  記憶部
５１      ：  第１レジスタ
５２      ：  第２レジスタ
１００    ：  電子情報機器
Ｘ        ：  表示装置
Ｘ１      ：  表示面
Ｙ        ：  表示装置駆動部
Ｈ        ：  水平同期信号（基準信号）
Ｐ        ：  駆動開始タイミングパラメータ
Ｕ        ：  駆動中タイミングパラメータ
ＤＬ      ：  ドライブライン
ＳＬ      ：  センスライン
Ｓｄ      ：  駆動信号
Ｓｓ，Ｓａ，Ｓｓｈ，Ｓｄｓ  ：  応答信号
Ｓｃ      ：  出力信号
Ｃｓｔ    ：  駆動開始信号
Ｃｓｈ    ：  サンプルホールドタイミング制御信号
Ｔｄ      ：  駆動期間
Ｔ１      ：  リセット期間
Ｔ２      ：  指示体検出期間
Ｔ３      ：  サンプルホールド待機期間
Ｔｓ      ：  駆動開始待機期間
Ｎ        ：  ノイズ
【図１】
2013206206.tif 000003
【図２】
2013206206.tif 000004
【図３】
2013206206.tif 000005
【図４】
2013206206.tif 000006
【図５】
2013206206.tif 000007
【図６】
2013206206.tif 000008
【図７】
2013206206.tif 000009
【図８】
2013206206.tif 000010
【図９】
2013206206.tif 000011
【図１０】
2013206206.tif 000012